(57)【要約】【課題】無線データ収集装置において、精度の良い温度検出が容易に実現すると共に、電池電源の消費を低減することを目的とする。【解決手段】外部から発信回路の周波数を調整可能にする周波数調整手段２ａを備えたＰＬＬシンセサイザ方式の無線通信手段２と、無線通信手段２に定電圧の電源を供給する定電圧電源手段３と、定電圧手段３からの電源により動作し温度を検知する温度検出手段４と、無線通信手段２の動作、定電圧電源手段３の動作、温度検出手段４の動作の制御を行う制御手段５と、少なくとも定電圧電源手段３、制御手段５に電源を供給する電池電源手段６で構成し、間欠的に温度を測定するため電池電源の消費を低減することができる。【選択図】  図１
2005011194.tif 000002
【特許請求の範囲】
【請求項１】
外部から発信回路の周波数を調整可能にする周波数調整手段を備えたＰＬＬシンセサイザ方式の無線通信手段と、前記無線通信手段に定電圧の電源を供給する定電圧電源手段と、前記定電圧電源手段からの電源により動作し温度を検知する温度検出手段と、前記無線通信手段の動作、定電圧電源手段の動作、温度検出手段の動作の制御を行う制御手段と、少なくとも前記定電圧電源手段、及び前記制御手段に電源を供給する電池で構成される電池電源手段で構成される無線データ収集装置。
【請求項２】
制御手段は無線通信手段を定期的に受信状態にしキャリアを検出するキャリアセンスと同時に温度検出手段を動作させるように構成した請求項１記載の無線データ収集装置。
【請求項３】
制御手段は無線通信手段を定期的に受信状態にしキャリアを検出するキャリアセンスの所定回数毎に温度検出手段を動作させるように構成した請求項１記載の無線データ収集装置。
【請求項４】
制御手段は無線通信手段によりデータ送信する送信要求が発生した場合に、温度検出手段を動作させるように構成した請求項１記載の無線データ収集装置。
【請求項５】
制御手段は予め設定された期間温度検出手段を動作させないようにするよう構成した請求項１記載の無線データ収集装置。
【請求項６】
制御手段は温度検出手段で検出した温度の値により、前記温度検出手段を次に動作させる迄の時間を変化させるように構成した請求項１記載の無線データ収集装置。
【請求項７】
制御手段は温度検出手段の動作を選択可能に構成された請求項１記載の無線データ収集装置。
【発明の詳細な説明】
【０００１】
【発明の属する技術分野】
本発明は、周囲温度による無線周波数の補正を少ない消費電力で行なう無線データ収集装置に関するものである。
【０００２】
【従来の技術】
従来のこの種の無線データ収集装置は周囲温度を検出し、この温度に応じて水晶発振子の発信周波数を調整するように構成したものがある（例えば、特許文献１参照）。
【０００３】
図８において、外部から発信回路の周波数を調整可能にする周波数調整手段を備えたＰＬＬシンセサイザ方式の無線通信手段２と、温度を検知する温度検出手段４と、前記無線通信手段２、温度検出手段４の制御を行う制御手段５と、少なくとも制御手段５と温度検出手段４に電源を供給する電池で構成される電池電源手段６で構成さている。また、無線通通信手段２には無線周波数を生成する水晶発振子の周波数を制御手段５からのデータにより調整する周波数調整手段２ａを備え、温度検出手段４により検出した温度が前記水晶発振子の許容温度範囲外であれば、制御手段５により周波数調整手段２ａに所定のデータを設定し、水晶発振子の周波数を許容値に補正するように構成されている。
【０００４】
【特許文献１】
特開平８−３２１７４６号公報
【０００５】
【発明が解決しようとする課題】
しかしながら、前記従来の無線データ収集装置では、温度検出手段が常に動作しており、電池電源を使用するシステムでは電池容量が増加するため、装置の小型化、低コスト化が困難であり低消費電力化が課題であった。
【０００６】
本発明は、前記従来の課題を解決するもので、精度の良い温度検出が容易に実現できると共に、電池電源の消費を低減することが可能となる。
【０００７】
【課題を解決するための手段】
前記従来の課題を解決するために本発明の無線データ収集装置は、無線の受信を間欠的に行いキャリアの有無を検出する無線手段のキャリアセンス動作と同じタイミングで周囲温度を測定すると共に、無線通信手段と温度検出手段を同一の定電圧電源で動作させるようにしたものである。
【０００８】
【発明の実施の形態】
請求項１に記載の無線データ収集装置は、外部から発信回路の周波数を調整可能にする周波数調整手段を備えたＰＬＬシンセサイザ方式の無線通信手段と、前記無線通信手段に定電圧の電源を供給する定電圧電源手段と、前記定電圧手段からの電源により動作し温度を検知する温度検出手段と、前記無線通信手段の動作、定電圧電源手段の動作、温度検出手段の動作の制御を行う制御手段と、少なくとも前記定電圧手段、及び前記制御手段に電源を供給する電池で構成される電池電源手段を有するものである。
【０００９】
そして、無線通信手段に必要な定電圧電源を温度検出手段に使用することにより、温度検出の精度を向上させることが可能となる。
【００１０】
請求項２に記載の無線データ収集装置は、前記無線通信手段を定期的に受信状態にしキャリアを検出するキャリアセンスと同時に温度検出手段を動作させるようにした制御手段を有するものである。
【００１１】
そして、間欠的に温度検出手段を動作させることにより電源の消費を低減させることが可能となる。
【００１２】
請求項３に記載の無線データ収集装置は、前記無線通信手段を定期的に受信状態にしキャリアを検出するキャリアセンスの所定回数毎に温度検出手段を動作させるようにした制御手段を有するものである。
【００１３】
そして、間欠的に温度検出を動作させることにより電源の消費を低減させることが可能となる。
【００１４】
請求項４に記載の無線データ収集装置は、前記無線通信手段によりデータ送信する送信要求が発生した場合に、前記温度検出手段を動作させるようにした制御手段を有する。
【００１５】
そして、無線送信の前に周波数の補正を行うことができ通信品質を向上させることが可能となる。
【００１６】
請求項５に記載の無線データ収集装置は、予め設定された期間温度検出手段を動作させないようにする制御手段を有する。
【００１７】
そして、必要な期間だけ温度検出を行うため電源の消費を低減させることが可能となる。
【００１８】
請求項６に記載の無線データ収集装置は、前記温度検出手段に検出した温度の値により、前記温度検出手段を次に動作させる迄の時間を変化させるようにした制御手段を有する。
【００１９】
そして、温度検出があまり必要でない場合の温度検出手段の動作を抑えることができ、電源の消費を低減することが可能となる。
【００２０】
請求項７に記載の無線データ収集装置は、前記温度検出手段の動作を選択可能にする制御手段を有する。
【００２１】
そして、温度検出が不要な場合に温度検出手段の動作を停止させることができ、電源の消費を低減させることが可能となる。
【００２２】
【実施例】
以下、本発明の実施例について図面を用いて説明する。
【００２３】
（実施例１）
図１は本発明の実施例１の無線データ収集装置を示すブロック図である。
【００２４】
図１において、１は無線データ収集装置であり、他の無線データ収集装置と外部から発信回路の周波数を調整可能にする周波数調整手段を備えたＰＬＬシンセサイザ方式の無線通信手段２と、無線通信手段２に定電圧の電源を供給する定電圧電源手段３と、定電圧電源手段３からの電源により動作し温度を検知する温度検出手段４と、無線通信手段２の動作、定電圧電源手段３の動作、温度検出手段４の動作の制御を行うマイクロコンピュータで構成される制御手段５と、少なくとも定電圧電源手段３、及び制御手段５に電源を供給する電池で構成される電池電源手段６を備えている。前記定電圧電源手段３は通常は電池電源手段６から電圧が印加されているが、非動作状態となっており電流の消費は極めて少ない状態であり、制御手段５から動作状態に指示されることにより一定の電源を無線通信手段２、温度検出手段４に供給するように構成されている。また、温度検出手段４は図示はしないがサーミスタ等の温度検出素子を使用しており、温度測定時に前記サーミスタに定電圧電源手段３から電圧を印加し、制御手段５に備えられ前記定電圧電源の電圧を基準電圧として動作するＡ／Ｄ変換機能を使用し温度データを検出するように構成されている。
【００２５】
以上のように無線通信手段２の動作と温度検出手段４の電源を共用することにより、低コストで、正確な温度検出を行うことが可能となる。
【００２６】
（実施例２）
図２は本発明の実施例２の無線データ収集装置１に備えられた制御手段５の要部動作を示すフローチャートである。
【００２７】
実施例２では制御手段５に備えられたマイクロコンピュータのプログラムの中でステップＳ１１からステップＳ２０が処理される。ステップＳ１２においてキャリアセンスの間隔をカウントしているカウンターが所定時間経過を検出すると、ステップＳ１３で定電圧電源手段３を動作させ温度検出手段４から温度データを読み込む。この温度データにより、例えば低温になりステップＳ１４で無線通信手段の周波数補正が必要と判断した場合は、ステップＳ１５で周波数調整手段２ａにその補正データを設定する。その後、続けてステップＳ１６でキャリアセンスを行い、ステップＳ１７でキャリアが検出されたと判断すればステップＳ１８でデータ受信の処理を行うように構成されている。また、キャリアセンス動作が終了すれば、定電圧電源手段３の動作は停止させるように動作する。
【００２８】
以上のように、キャリアセンス動作と周囲温度の検出を同時に、また間欠的に行うことにより電池電源手段６の消費電力を低減することが可能となる。
【００２９】
（実施例３）
図３は本発明の実施例３の無線データ収集装置１に備えられた制御手段５の要部動作を示すフローチャートである。
【００３０】
実施例３では制御手段５に備えられたマイクロコンピュータのプログラムの中でステップＳ２１からステップＳ３１が処理される。
【００３１】
キャリアセンス動作は実施例２と同様にステップＳ２２からステップＳ２５で行われ、ステップＳ２６でキャリアセンスが予め設定されていた所定回数経過がカウントされ、所定回数毎にステップＳ２７からステップＳ２９で温度センサの読込処理が行われる。
【００３２】
以上のように、間欠的に温度検出を動作させることにより電源の消費を低減させることが可能となる。
【００３３】
（実施例４）
図４は本発明の実施例４の無線データ収集装置１に備えられた制御手段５の要部動作を示すフローチャートである。
【００３４】
実施例４では制御手段５に備えられたマイクロコンピュータのプログラムの中でステップＳ４１からステップＳ４８が処理される。
【００３５】
ステップＳ４２で相手の無線データ収集装置に送信するような送信要求が発生すると、実施例２と同様にステップＳ４３からステップＳ４５で周波数の補正を行い、周波数補正後にステップＳ４６でデータの送信を行うように動作する。
【００３６】
以上のように、無線送信の前に周波数の補正を行うことにより通信品質を向上させることが可能となる。
【００３７】
（実施例５）
図５は本発明の実施例５の無線データ収集装置１に備えられた制御手段５の要部動作を示すフローチャートである。
【００３８】
実施例５では制御手段５に備えられたマイクロコンピュータのプログラムの中でステップＳ５１からステップＳ６１が処理される。
【００３９】
キャリアセンスは実施例２と同様にステップＳ５２からステップＳ５５で行われるが、図示はしないが内蔵するカレンダーと予め入力された温度検出を行う月日などにより、ステップＳ５６で温度検出が必要な期間かを判定し、温度検出が必要であればステップＳ５７からステップＳ５９で温度検出と周波数補正を行う。
【００４０】
以上のように、気温が低下する冬場などの必要な期間だけ温度検出を行うことができるため電源の消費を低減させることが可能となる。
【００４１】
（実施例６）
図６は本発明の実施例６の無線データ収集装置１に備えられた制御手段５の要部動作を示すフローチャートである。
【００４２】
実施例６では制御手段５に備えられたマイクロコンピュータのプログラムの中でステップＳ７１からステップＳ７８が処理される。
【００４３】
ステップＳ７２により温度検出の時間がきたと判断されれば、ステップＳ７３からステップＳ７５で温度検出と周波数補正を行うが、ステップＳ７６ではステップＳ７３で検出した温度の値により次回温度検出を行う迄の時間を設定する。従って、この時間経過後、ステップ７２で再び温度センサ読込が行われる。
【００４４】
以上のように、気温が高い日が続くような温度検出があまり必要でない場合の温度検出手段の動作を抑えることができ、電源の消費を低減することが可能となる。
【００４５】
（実施例７）
図７は本発明の実施例７の無線データ収集装置１に備えられた制御手段５の要部動作を示すフローチャートである。
【００４６】
実施例７では制御手段５に備えられたマイクロコンピュータのプログラムの中でステップＳ８１からステップＳ９１が処理される。
【００４７】
キャリアセンス動作は実施例２と同様にステップＳ８２からステップＳ８５で処理される。ステップＳ８６では予め外部より設定される温度による周波数補正を行うかどうかの設定内容を確認し、補正必要と設定されている場合はステップＳ８７からステップＳ８９で温度検出と周波数補正を行う。
【００４８】
以上のように、温度検出が不要な場合に温度検出手段の動作を停止させることができ、電源の消費を低減させることが可能となる。
【００４９】
【発明の効果】
以上のように、本発明によれば精度の良い温度検出が容易に実現できると共に、電池電源の消費を低減することが可能となる。
【図面の簡単な説明】
【図１】本発明の実施例１における無線データ収集装置のブロック図
【図２】本発明の実施例２における無線データ収集装置の動作フローチャート
【図３】本発明の実施例３における無線データ収集装置の動作フローチャート
【図４】本発明の実施例４における無線データ収集装置の動作フローチャート
【図５】本発明の実施例５における無線データ収集装置の動作フローチャート
【図６】本発明の実施例６における無線データ収集装置の動作フローチャート
【図７】本発明の実施例７における無線データ収集装置の動作フローチャート
【図８】従来の無線データ収集装置のブロック図
【符号の説明】
１  無線データ収集装置本体
２  無線通信手段
３  定電圧電源手段
４  温度検出手段
５  制御手段
６  電池電源手段
【図１】
2005011194.tif 000003
【図２】
2005011194.tif 000004
【図３】
2005011194.tif 000005
【図４】
2005011194.tif 000006
【図５】
2005011194.tif 000007
【図６】
2005011194.tif 000008
【図７】
2005011194.tif 000009
【図８】
2005011194.tif 000010